(57)【要約】【課題】乗客にヘルメット等を着用させることなく、高度な映像効果を実現し得る走行型遊具を提供する。【解決手段】レール２で構成された所定の経路に沿って走行する車体１１と、車体１１の前部に配設されると共に通風可能に構成されたスクリーンパネル１３と、車体１１に配設されてスクリーンパネル１３に画像を投射する投射装置１２とを備えている。この場合、投射装置１２は、所定の経路に沿って設置されたスタート・ゴール駅やトンネルの天井および壁面にも画像を投射する。【選択図】図３
2006158758.tif 000002
【特許請求の範囲】
【請求項１】
所定の経路に沿って走行する車体と、前記車体の前部に配設されると共に通風可能に構成されたスクリーンと、前記車体に配設されて前記スクリーンに画像を投射する投射装置とを備えている走行型遊具。
【請求項２】
前記投射装置は、前記所定の経路に沿って配設された表示部に前記画像を投射する請求項１記載の走行型遊具。
【請求項３】
前記投射装置は、前記経路内における前記車体の位置および当該車体の走行状態の少なくとも一方に関連付けられた前記画像を投射する請求項１または２記載の走行型遊具。
【請求項４】
前記投射装置は、プロジェクタを備えて構成されている請求項１から３のいずれかに記載の走行型遊具。
【請求項５】
請求項１から４のいずれかに記載の走行型遊具と、前記所定の経路とを備えている走行型遊具システム。
【発明の詳細な説明】
【技術分野】
【０００１】
本発明は、所定の経路を走行する走行型遊具および走行型遊具システムに関するものである。
【背景技術】
【０００２】
この種の走行型遊具に映像効果や音響効果を付加する装置として、特開２００１−６２１５４号公報には、稼働式遊戯乗り物用視覚効果及び音響効果機能ヘルメット（以下、単に「ヘルメット」ともいう）が開示されている。このヘルメットは、稼働式遊戯乗り物に搭乗する乗客が着用するヘルメットであって、映像を表示するゴーグルと、音響を出力するヘッドホンとを備えている。このヘルメットでは、稼働式遊戯乗り物の順路に連動した映像表示や音響出力を行うことで、映像効果や音響効果を付加することが可能となっている。
【特許文献１】特開２００１−６２１５４号公報（第２頁、第２図）
【発明の開示】
【発明が解決しようとする課題】
【０００３】
ところが、このヘルメットには、以下の問題点がある。すなわち、このヘルメットでは、ゴーグルの限られた狭い表示範囲内に映像を表示しているため、迫力のある映像を表示するのが困難となっている。また、このヘルメットでは、乗客が首や視線の向きを変えたとしても、その変化に応じて画像の向きを変化させるのが困難なため、乗客に違和感を与えることとなる。したがって、このヘルメットでは、十分な映像効果を得るのが困難となっている。また、走行中において乗客がヘルメットを常に着用していなければならないため、ヘルメットの重量に起因する負担を乗客に与えたり、スピード感や開放感が損なわれたり、搭乗中における乗客同士のコミュニケーションが阻害されたりするという不都合が生じている。
【０００４】
本発明は、かかる問題点に鑑みてなされたものであり、乗客にヘルメット等を着用させることなく、高度な映像効果を実現し得る走行型遊具および走行型遊具システムを提供することを主目的とする。
【課題を解決するための手段】
【０００５】
上記目的を達成すべく本発明に係る走行型遊具は、所定の経路に沿って走行する車体と、前記車体の前部に配設されると共に通風可能に構成されたスクリーンと、前記車体に配設されて前記スクリーンに画像を投射する投射装置とを備えている。
【０００６】
この走行型遊具では、スクリーンと、スクリーンに画像を投射する投射装置とが車体に配設されている。このため、ヘルメット型の表示装置等を用いることなく、スクリーンに画像を大画面で表示することができる。この結果、ヘルメットの重量に起因する負担を乗客に与えたり、スピード感や開放感が損なわれたり、搭乗中における乗客同士のコミュニケーションが阻害されたりする不都合を生じさせることなく、高度な映像効果を実現することができる。したがって、この走行型遊具によれば、乗客を十分に楽しませることができる。また、この走行型遊具では、車体に配設されたスクリーンに投射装置が画像を投射する。このため、経路内に壁面や天井が存在しないとしても画像を確実に表示させることができる。また、この走行型遊具では、スクリーンが車体の前部に配設されている。このため、正面を向いたままの乗客に対して画像を確実に視認させることができる。また、この走行型遊具では、スクリーンが通風可能に構成されている。このため、高速で走行したとしても、風圧によるスクリーンの破損を確実に防止することができる。また、乗客に対してスクリーンを通して風を受けさせることができるため、スピードを十分に実感させることができる。
【０００７】
また、本発明に係る走行型遊具は、上記の走行型遊具において、前記投射装置は、前記所定の経路に沿って配設された表示部に前記画像を投射する。
【０００８】
この走行型遊具では、経路に沿って設置された表示部（例えば、スタート・ゴール駅やトンネルの天井および壁面など）に投射装置が画像を投射する。このため、画像を大画面で表示することができる。
【０００９】
また、本発明に係る走行型遊具は、上記の走行型遊具において、前記投射装置は、前記経路内における前記車体の位置および当該車体の走行状態の少なくとも一方に関連付けられた前記画像を投射する。
【００１０】
この走行型遊具では、経路内における車体の位置や車体の走行状態に関連付けられた画像を投射装置が投射する。このため、走行型遊具が実際に走行する際のスリルに加えて、視覚的なスリルを乗客に与えることができるため、両者の相乗効果によって、乗客を一層楽しませることができる。
【００１１】
また、本発明に係る走行型遊具は、上記の走行型遊具において、前記投射装置は、プロジェクタを備えて構成されている。
【００１２】
この走行型遊具では、プロジェクタを備えて投射装置が構成されている。このため、動画像を投射することができるため、より高度な映像効果を実現することができる。
【００１３】
また、本発明に係る走行型遊具システムは、上記の走行型遊具と、前記所定の経路とを備えている。
【００１４】
この走行型遊具システムは、上記の走行型遊具と、所定の経路とを備えている。このため、上記の走行型遊具が有する効果と同様の効果を実現することができる。
【発明を実施するための最良の形態】
【００１５】
以下、本発明に係る走行型遊具および走行型遊具システムの最良の形態について、添付図面を参照して説明する。図１に示すジェットコースター（登録商標）１００は、本発明に係る走行型遊具システムの一例であって、同図および図４に示すように、コースター１、レール２、スタート・ゴール駅３、トンネル４ａ，４ｂ、リフト５、制動装置６および制御装置７を備えて構成されている。
【００１６】
コースター１は、本発明に係る走行型遊具の一例であって、図２，３に示すように、車体１１、投射装置１２およびスクリーンパネル１３を備えている。車体１１は、一例として、４つの座席２１，２１・・を備えた４人乗りの車体であって、経路２００（図１参照）を構成するレール２の上を走行可能に構成されている。この場合、座席２１には、着席した乗客を座席２１に固定する安全装置２２が取り付けられている。投射装置１２は、図４に示すように、プロジェクタ３１ａ〜３１ｄ（以下、区別しないときには「プロジェクタ３１」ともいう）、表示制御部３２、画像再生部３３およびセンサ３４を備えている。プロジェクタ３１は、表示制御部３２からの画像データＤｇに基づく投射光Ｌを投射する。具体的には、プロジェクタ３１は、例えば、光源と、デジタルマイクロミラーデバイスや液晶ライトバルブで構成された光変調素子と、投射レンズ（いずれも図示せず）とを備えている。この場合、図２，３に示すように、プロジェクタ３１ａは、車体１１の前部に取り付けられて、上方に向けて投射光Ｌを投射する。また、プロジェクタ３１ｂは、車体１１の左側面に取り付けられて、左前方に向けて投射光Ｌを投射し、プロジェクタ３１ｃは、車体１１の右側面に取り付けられて、右前方に向けて投射光Ｌを投射する。さらに、プロジェクタ３１ｄは、車体１１の前部に取り付けられて、スクリーンパネル１３に向けて投射光Ｌを投射する。
【００１７】
表示制御部３２は、制御装置７との間で無線通信可能に構成されて、図４に示すように、制御装置７からの制御信号Ｓ１に従って画像再生部３３を制御して、例えば、図５に示す画像Ｇ１（以下、画像の内容を区別しないときには「画像Ｇ」ともいう）を表示（投射）させるための画像データＤｇを再生させてプロジェクタ３１に出力する。この場合、表示制御部３２は、センサからの検出信号Ｓ２に基づいて経路２００内におけるコースター１（車体１１）の位置を特定して、画像再生部３３を制御してその位置に関連付けられた画像Ｇを表示させるための画像データＤｇを再生させる。画像再生部３３は、例えば、ＤＶＤ等の情報記録媒体に記録された各種画像データＤｇを再生する再生装置で構成されている。センサ３４は、車体１１に取り付けられて、経路２００内におけるコースター１（車体１１）の位置を検出して検出信号Ｓ２を出力する。
【００１８】
スクリーンパネル（本発明におけるスクリーン）１３は、透過型のスクリーンパネルであって、車体１１の前部に取り付けられている。この場合、スクリーンパネル１３は、プロジェクタ３１からの投射光Ｌを受光して画像Ｇを表示する。また、スクリーンパネル１３は、投射光Ｌが投射されていない状態では、前方からの光を透過させる。したがって、このコースター１では、スクリーンパネル１３に画像が表示されていないときには、スクリーンパネル１３を通して前方の景色を視認することが可能となっている。また、スクリーンパネル１３は、例えば微細な多数の孔（図示せず）が形成されて通風可能に構成されている。したがって、コースター１が高速で走行したとしても、風圧によるスクリーンパネル１３の破損が防止される。また、乗客は、風を受けることでコースター１のスピードを十分に実感することが可能となっている。
【００１９】
レール２は、図２，３に示すように、コースター１（車体１１）がその上を走行可能に構成されている。この場合、図１に示すように、山、谷およびループなどが形成された経路２００（本発明における所定の経路の一例）がレール２によって構成されている。スタート・ゴール駅３は、経路２００内のスタート・ゴール地点Ａに設置されている。この場合、スタート・ゴール駅３の内部には、乗降用のホーム（図示せず）やコースター１を停止させるための制動装置６（図４参照）が設置されている。トンネル４ａ，４ｂ（以下、区別しないときには「トンネル４」ともいう）は、経路２００に沿って設置されている。この場合、トンネル４ａは、経路２００の前半部分に設置され、トンネル４ｂは、経路２００の後半部分に設置されている。リフト５は、制御装置７の制御に従い、経路２００に沿ってスタート・ゴール地点Ａから最高地点Ｂにコースター１を引き上げる。制動装置６は、スタート・ゴール駅３の内部に設置されて、制御装置７の制御に従ってコースター１を制動する。制御装置７は、コースター１の投射装置１２、リフト５および制動装置６を制御する。
【００２０】
次に、ジェットコースター１００における各構成要素の動作について、図面を参照して説明する。このジェットコースター１００では、スタート・ゴール駅３の内部に設けられた乗車用のホームから停車中のコースター１に乗客が乗車する。この後、図２に示すように、座席２１に取り付けられた安全装置２２が作動して、座席２１に着席した乗客を固定する。次いで、制御装置７が、画像Ｇの表示を開始させる制御信号Ｓ１をコースター１の投射装置１２に出力する。続いて、投射装置１２の表示制御部３２が、制御信号Ｓ１に従って画像表示処理を開始する。
【００２１】
この画像表示処理では、表示制御部３２は、一例として、「タイムトラベル」のような所定のテーマに基づき、経路２００内におけるコースター１（車体１１）の位置に関連付けられた各種の画像Ｇを表示させる。具体的には、表示制御部３２が、まず、画像再生部３３を制御して、スタート用の画像データＤｇを再生させて、プロジェクタ３１ａ，３１ｂ，３１ｃにそれぞれ出力する。次に、プロジェクタ３１ａ，３１ｂ，３１ｃが、本発明における表示部に相当するスタート・ゴール駅３の天井３ａおよび左右の壁面３ｂ，３ｃ（いずれも図５参照）に画像データＤｇに基づく投射光Ｌをそれぞれ投射する。これにより、スタート用の画像Ｇ（図示せず）が天井３ａおよび壁面３ｂ，３ｃに大画面で表示される。この場合、このスタート用の画像Ｇは、例えば、現代から古代にタイムスリップする様子を示すシーンで構成されている。一方、表示制御部３２は、この時点では、プロジェクタ３１ｄに対する画像データＤｇの出力を停止している。したがって、スクリーンパネル１３が前方からの光を透過させるため、乗客は、スクリーンパネル１３を通して画像Ｇを見ることができる。次いで、表示制御部３２は、画像再生部３３を制御して次のシーン用の画像データＤｇを再生させ、プロジェクタ３１ａ，３１ｂ，３１ｃは、画像データＤｇに基づく投射光Ｌを投射する。これにより、図５に示すように、次のシーンの画像Ｇ１が天井３ａおよび壁面３ｂ，３ｃに表示される。この場合、この画像Ｇ１は、例えば、同図に示すように、恐竜が生息していた古代の野山の風景で構成されている。
【００２２】
次いで、制御装置７は、制動装置６を制御して、コースター１の制動を解除させると共に、リフト５を制御して、図１に示すように、経路２００に沿ってスタート・ゴール地点Ａから最高地点Ｂにコースター１を引き上げさせる。この際に、表示制御部３２は、画像再生部３３を制御して、次のシーン用の画像データＤｇを再生させてプロジェクタ３１ｄに出力する。次いで、プロジェクタ３１ｄが、画像データＤｇに基づく投射光Ｌをスクリーンパネル１３に投射する。これにより、例えば、山の斜面に沿ってコースター１が昇っていくシーンで構成された画像Ｇ（図示せず）がスクリーンパネル１３に表示される。続いて、表示制御部３２は、コースター１が経路２００の最高地点Ｂに到達したときに、センサ３４からの検出信号Ｓ２に基づいてその地点へのコースター１の到達を検出し、画像再生部３３を制御して次のシーン用の画像データＤｇを再生させてプロジェクタ３１ｄに出力する。次いで、プロジェクタ３１ｄが画像データＤｇに基づく投射光Ｌを投射することにより、コースター１が最高地点Ｂから下降を開始するタイミングに連動して、例えば、図６に示すように、次のシーンの画像Ｇ２がスクリーンパネル１３に表示される。この場合、画像Ｇ２は、例えば、滝の縁部から車体１１の先端がせり出して、やがて滝を落下するシーンで構成されている。このため、コースター１が実際に下降する際の加速感に加えて、滝を落下する視覚的なスリルを乗客に与えることができる。したがって、両者の相乗効果によって、乗客を十分に楽しませることができる。
【００２３】
続いて、下降による加速で高速走行するコースター１が図１に示すトンネル４ａの入口に到達したときには、表示制御部３２は、その地点へのコースター１の到達を検出し、画像再生部３３を制御して次のシーン用の画像データＤｇを再生させてプロジェクタ３１ａ，３１ｂ，３１ｃにそれぞれ出力する。次いで、プロジェクタ３１ａ，３１ｂ，３１ｃが画像データＤｇに基づく投射光Ｌを投射することにより、次のシーンの画像Ｇ（図示せず）がトンネル４ａの天井および壁面に表示される。この場合、この画像Ｇは、例えば、太古から現代に至る各時代を象徴する様々なシーンで構成されている。
【００２４】
続いて、コースター１がトンネル４ａの出口に到達したときには、表示制御部３２は、その地点へのコースター１の到達を検出し、画像再生部３３を制御して次のシーン用の画像データＤｇを再生させてプロジェクタ３１ｄに出力する。次いで、プロジェクタ３１ｄが投射光Ｌを投射することにより、図１に示す山や谷が連続する区間Ｃをコースター１が走行する間に、例えば、都会のビル群の中をコースター１が高速走行するようなシーンで構成された画像Ｇがスクリーンパネル１３に表示される。この場合、この画像Ｇには、例えば、コースター１の実際の上昇に連動してビルの壁面に沿ってコースター１が急上昇するようなシーンや、図７に示すように、コースター１の実際の下降に連動してビルの屋上から地上に向かってコースター１が落下するようなシーンで構成された画像Ｇ３が含まれている。このため、コースター１が上昇や下降を繰り返す際のスリルに加えて、ビルを上昇したりビルから落下したりするような視覚的なスリルを乗客に与えることができる。
【００２５】
続いて、コースター１が図１に示す区間Ｃを通過してトンネル４ｂの入口に到達したときには、表示制御部３２は、画像再生部３３を制御して次のシーン用の画像データＤｇを再生させてプロジェクタ３１ａ，３１ｂ，３１ｃにそれぞれ出力する。次いで、各プロジェクタ３１ａ，３１ｂ，３１ｃが投射光Ｌを投射することにより、次のシーンの画像Ｇ（図示せず）がトンネル４ｂの天井および壁面に表示される。この場合、この画像Ｇは、例えば、現代から未来にタイムスリップする様子を示すシーンで構成されている。続いて、コースター１がトンネル４ｂの出口に到達したときには、表示制御部３２が画像再生部３３を制御して次のシーン用の画像データＤｇを再生させてプロジェクタ３１ｄに出力し、プロジェクタ３１ｄが投射光Ｌを投射することにより、次のシーンの画像Ｇ（図示せず）がスクリーンパネル１３に表示される。この場合、この画像Ｇは、例えば、コースター１が宇宙空間を航行するシーンで構成されている。
【００２６】
次いで、コースター１が図１に示すループＤの基点に到達したときには、表示制御部３２が画像再生部３３を制御してループＤ用の画像データＤｇを再生させてロジェクタ３１ｄに出力し、プロジェクタ３１ｄが投射光Ｌを投射する。これにより、ループＤ用の画像Ｇ（図示せず）がスクリーンパネル１３に表示される。この場合、この画像Ｇは、例えば、コースター１が宇宙空間で大きく一回転するシーンで構成されている。このため、コースター１がループＤに沿って実際に一回転する際のスリルに加えて、宇宙空間で一回転するような視覚的なスリルを乗客に与えることができる。
【００２７】
続いて、コースター１が図１に示すループＤの終点に到達したときには、表示制御部３２が画像再生部３３を制御して次のシーン用の画像データＤｇを再生させてプロジェクタ３１ｄに出力し、プロジェクタ３１ｄが投射光Ｌを投射することにより、次シーンの画像Ｇがスクリーンパネル１３に表示される。この場合、この画像Ｇは、例えば、未来から現代にタイムスリップする様子を示すシーンで構成されている。次いで、コースター１が図１に示すスタート・ゴール駅３の入り口に到達したときには、表示制御部３２は、制動装置６を制御してコースター１を制動させ、スタート・ゴール地点Ａでコースター１を停止させる。続いて、表示制御部３２は、プロジェクタ３１ｄへの画像データＤｇの出力を停止して画像表示処理を終了する。
【００２８】
このように、このコースター１によれば、スクリーンパネル１３と、スクリーンパネル１３に画像Ｇを投射する投射装置１２とを車体１１に配設したことにより、ヘルメット型の表示装置等を用いることなく、スクリーンパネル１３に画像Ｇを大画面で表示することができる。このため、ヘルメットの重量に起因する負担を乗客に与えたり、スピード感や開放感が損なわれたり、搭乗中における乗客同士のコミュニケーションが阻害されたりする不都合を生じさせることなく、高度な映像効果を実現することができる。したがって、このジェットコースター１００によれば、乗客を十分に楽しませることができる。
【００２９】
また、車体１１に配設されたスクリーンパネル１３に画像Ｇを投射することにより、経路２００に壁面や天井が存在しないとしても画像Ｇを確実に表示させることができる。また、車体１１の前部にスクリーンパネル１３を配設したことにより、正面を向いたままの乗客に対して画像Ｇを確実に視認させることができる。また、スクリーンパネル１３を通風可能に構成したことにより、コースター１が高速で走行したとしても、風圧によるスクリーンパネル１３の破損を確実に防止することができる。また、乗客に対してスクリーンパネル１３を通して風を受けさせることができるため、コースター１のスピードを十分に実感させることができる。
【００３０】
また、経路２００に沿って設置されたスタート・ゴール駅３やトンネル４の天井および壁面に画像Ｇを投射することにより、画像Ｇを大画面で表示することができる。さらに、経路２００内におけるコースター１の位置に関連付けられた画像Ｇを投射することにより、コースター１が実際に走行する際のスリルに加えて、視覚的なスリルを乗客に与えることができるため、両者の相乗効果によって、乗客を一層楽しませることができる。また、プロジェクタ３１を備えて投射装置１２を構成したことにより、動画像を投射することができるため、より高度な映像効果を実現することができる。
【００３１】
なお、本発明は、上記の構成に限定されない。例えば、経路２００内を走行するコースター１を例に挙げて説明したが、本発明に係る走行型遊具はこれに限定されず、道路上を走行する自動車型（カート型）等の各種の走行型遊具に本発明を適用することができる。また、微細な多数の孔が形成されたスクリーンパネル１３を備えた例について上記したが、開口部を形成することで通気可能としたスクリーンパネルを採用することもできる。また、４つのプロジェクタ３１ａ〜３１ｄを備えた例について上記したが、プロジェクタ３１の数は、これに限定されず任意に規定することができる。この場合、スクリーンパネル１３だけに画像Ｇを投射する構成を採用することもできるし、スクリーンパネル１３を備えることなく、スタート・ゴール駅３やトンネル４の天井および壁面だけに画像Ｇを投射する構成を採用することもできる。また、スタート・ゴール駅３やトンネル４の天井および壁面に画像Ｇを表示する例について上記したが、スタート・ゴール駅３やトンネル４の内部にスクリーンを配設して、そのスクリーンに画像Ｇを表示させる構成を採用することもできる。また、経路２００におけるスタート・ゴール駅３やトンネル４以外の位置に経路２００に沿ってスクリーンを配設してそのスクリーンに画像Ｇを表示させてもよい。
【００３２】
また、プロジェクタ３１を備えた投射装置１２に代えて、フィルムを用いる投影機を備えた構成を採用することもできる。また、「タイムトラベル」をテーマにした画像Ｇを投射する例について上記したが、画像Ｇのテーマはこれに限定されず、「世界旅行」や「地中探検」などの様々なテーマを採用することができる。この場合、画像再生部３３に再生させる画像データＤｇをテーマに応じて変更するだけで、画像Ｇによる演出を多彩に変化させることができる。また、経路２００内におけるコースター１（車体１１）の位置に関連付けられた画像Ｇを投射させる例について上記したが、スピードや傾斜角度等のコースター１（車体１１）の走行状態に関連付けられた画像Ｇを投射させる構成や、経路２００内におけるコースター１の位置とコースター１の走行状態との双方に関連付けられた画像Ｇを投射させる構成を採用することもできる。
【図面の簡単な説明】
【００３３】
【図１】ジェットコースター１００の斜視図である。
【図２】コースター１の側面図である。
【図３】コースター１の平面図である。
【図４】ジェットコースター１００の一部の構成を示す構成図である。
【図５】画像Ｇ１が表示されているスタート・ゴール駅３内部の斜視図である。
【図６】画像Ｇ２が表示されているスクリーンパネル１３の表示画面図である。
【図７】画像Ｇ３が表示されているスクリーンパネル１３の表示画面図である。
【符号の説明】
【００３４】
１  コースター、２  レール、３ａ  天井、３ｂ，３ｃ  壁面、１１  車体、１２  投射装置、１３  スクリーンパネル、１００  ジェットコースター、２００  経路、Ｇ１〜Ｇ３  画像
【図１】
2006158758.tif 000003
【図２】
2006158758.tif 000004
【図３】
2006158758.tif 000005
【図４】
2006158758.tif 000006
【図５】
2006158758.tif 000007
【図６】
2006158758.tif 000008
【図７】
2006158758.tif 000009